(57)【要約】【課題】  太陽光等の雑音光による影響を排除する。【解決手段】  複数の受光回路７０のそれぞれにおいて、フォトダイオード７０に入射された赤外線に従う高周波信号が、前置増幅回路７８，バッファ増幅回路８０およびスイッチ回路８２を介して、加算回路８４に入力される。また、前置増幅回路７８による増幅処理後の高周波信号は、バンドパスフィルタ８６および整流回路８８を介して、比較回路９０にも入力される。ここで、フォトダイオード５０に雑音光が入射されると、整流回路８８の出力レベルが所定の基準レベル以上となる。この場合、比較回路９０は、スイッチ回路８２をＯＦＦする。一方、当該雑音光が入射されていない場合は、スイッチ回路８２はＯＮされる。つまり、いずれかのフォトダイオード５０に雑音光が入射されると、そのフォトダイオード５０に対応する受光回路７０の出力が自動的に無効化される。【選択図】        図４
2006025111.tif 000002
【特許請求の範囲】
【請求項１】
個別の受信領域を形成すると共に該受信領域から送られてくる赤外線を受光して電気信号に変換する複数の光電変換手段と、
上記電気信号に所定レベル以上の雑音成分が含まれているか否かを判定する判定手段と、
上記判定手段によって上記雑音成分が含まれていると判定された上記電気信号を無効化する無効化手段と、
を具備する、赤外線受信装置。
【請求項２】
上記判定手段は、上記電気信号の所定周波数帯域の信号レベルを検出するレベル検出手段と、上記レベル検出手段による検出結果に基づいて判定を行う判定実行手段と、を備える、請求項１に記載の赤外線受信装置。
【請求項３】
上記所定周波数帯域は受信対象外の周波数帯域である、請求項２に記載の赤外線受信装置。
【請求項４】
上記光電変換手段のそれぞれは上記赤外線を受光するフォトダイオードを備え、
上記判定手段は、上記フォトダイオードに流れる電流を検出する電流検出手段と、上記電流検出手段による検出結果に基づいて判定を行う判定実行手段と、を備える、請求項１に記載の赤外線受信装置。
【請求項５】
上記フォトダイオードは逆バイアス態様で駆動され、
上記電流は上記フォトダイオードを逆方向に流れる電流である、請求項４に記載の赤外線受信装置。
【請求項６】
上記判定手段は、上記電気信号から元の情報信号を再現する再現手段と、上記再現手段によって再現された上記情報信号のＳＮ比に基づいて判定を行う判定実行手段と、を備える、請求項１に記載の赤外線受信装置。
【請求項７】
有効化されている上記電気信号を加算する加算手段をさらに備える、請求項１ないし６のいずれかに記載の赤外線受信装置。
【請求項８】
上記光電変換手段毎に上記受光領域以外の領域から送られてくる上記赤外線を遮蔽する遮蔽手段をさらに備える、請求項１ないし７のいずれかに記載の赤外線受信装置。
【請求項９】
可搬型である、請求項１ないし８のいずれかに記載の赤外線受信装置。
【発明の詳細な説明】
【技術分野】
【０００１】
この発明は、赤外線を媒体として送られてくる信号を受信する赤外線受信装置に関する。
【背景技術】
【０００２】
この種の赤外線受信装置として、従来、例えば非特許文献１に開示された赤外線会議システム（型式；ＡＴＣＳ−５０）に適用されたものがある。この従来技術によれば、主装置としてのマスタコントロールユニット（型式；ＡＴＣＳ−Ｃ５０）が、例えば会議室の隅に設置され、中継装置としての多チャンネル受発光ユニット（型式；ＡＴＣＳ−Ａ５０）が、例えば同会議室の天井に取り付けられる。そして、端末装置としての会議マイクユニット（型式；ＡＴＣＳ−Ｍ５０）が、同会議室の適宜箇所に複数台配置される。かかる構成において、いずれかの会議マイクユニットによって発言が成されると、その発言内容（音声）が、マスタコントロールユニット側および発言元を含む全ての会議マイクユニット側で再生（モニタ）される。これを実現するために、マスタコントロールユニットとそれぞれの会議マイクユニットとの間で、当該発言内容を含むＦＭ（Frequency Modulation）信号が、多チャンネル受発光ユニットを介して送受信される。具体的には、マスタコントロールユニットと多チャンネル受発光ユニットとの間では、同軸ケーブルを介して、つまり有線で、当該ＦＭ信号が送受信される。そして、多チャンネル受発光ユニットとそれぞれの会議マイクユニットとの間では、赤外線を媒体として当該ＦＭ信号が送受信され、言わば赤外線通信が行われる。
【非特許文献１】株式会社オーディオテクニカ製ＩＲカンファレンス・システム“ＡＴＣＳ−５０”製品説明書、［ｏｎｌｉｎｅ］、［平成１６年５月１７日検索］、インターネット＜URL;http://www.audio-technica.co.jp/proaudio/infrared/atcs-50/ATCS-50.html＞
【発明の開示】
【発明が解決しようとする課題】
【０００３】
しかし、上述の従来技術では、太陽光等の影響によって正常な赤外線通信を行えなくなることがある、という問題がある。具体的には、いずれかの、例えば窓際に設置された会議マイクユニット内に太陽光が入射されると、この太陽光に含まれる赤外線エネルギが大きな雑音となって、当該マイクユニットにおいて多チャンネル受発光ユニットから送られてくる赤外線を良好に受信することができなくなる。特に、会議マイクユニットは、いわゆる可搬型の機器であるため、いずれの方向から太陽光が入射されるのかが不特定であり、このことがこの問題をより煩雑化している。また、太陽光に限らず、例えばプラズマディスプレイ装置の画面からも当該赤外線通信にとって雑音となる赤外線が放射されていることが知られている。従って、かかるプラズマディスプレイ装置が設置されている環境下（会議室）においても、その画面から放射される赤外線によって正常な赤外線通信を行えなくなることがある。
【０００４】
そこで、この発明は、太陽光等の言わば雑音光による影響を回避することができる赤外線受信装置を提供することを、目的とする。
【課題を解決するための手段】
【０００５】
上述の目的を達成するために、この発明の赤外線受信装置は、個別の受信領域を形成すると共に当該受信領域から送られてくる赤外線を受光して電気信号に変換する複数の光電変換手段と、当該電気信号に所定レベル以上の雑音成分が含まれているか否かを判定する判定手段と、この判定手段によって当該雑音成分が含まれていると判定された電気信号を無効化する無効化手段と、を具備するものである。
【０００６】
即ち、この発明では、複数の光電変換手段が設けられており、これら複数の光電変換手段のそれぞれは、自身の受光領域から送られてくる赤外線を受光して、電気信号に変換する。ここで、例えば、いずれかの光電変換手段によって受光される赤外線に、太陽光等の雑音光が含まれているとする。すると、その赤外線に基づく変換後の電気信号にも、当該雑音光に応じた所定レベル以上の雑音成分が現れる。かかる雑音成分が含まれた電気信号が、そのまま後段の処理に付されると、赤外線通信に支障を来たすことになる。そこで、判定手段が、個々の光電変換手段による変換後の電気信号に当該雑音成分が含まれているか否かを判定する。そして、雑音成分が含まれていると判定された電気信号は、無効化手段によって無効化される。一方、雑音成分が含まれていない電気信号については、無効化されず、言わば有効化される。
【０００７】
なお、上述の判定手段は、個々の光電変換手段による変換後の電気信号に含まれる所定周波数帯域の信号のレベルを検出するレベル検出手段と、このレベル検出手段による検出結果に基づいて判定を行う判定実行手段と、を備えるものであってもよい。即ち、光電変換手段による変換後の電気信号に上述の雑音成分が含まれている場合には、当該電気信号の所定周波数帯域の信号レベルが高くなる。そこで、レベル検出手段によって、当該所定周波数帯域の信号レベルを検出する。そして、判定実行手段によって、当該レベル検出手段による検出結果、つまり所定周波数帯域の信号レベルの高低に基づいて、雑音成分の有無を判定するようにしてもよい。
【０００８】
この場合、所定周波数帯域は、例えば受信対象となる信号の周波数帯域以外の周波数帯域とするのが、望ましい。このようにすれば、受信対象となる信号とそうでない雑音成分とを明確に区別することができ、ひいては当該雑音成分の有無をより正確に判定することができる。
【０００９】
また、光電変換手段のそれぞれが上述の赤外線を受光するフォトダイオードを備えている場合には、判定手段は、当該フォトダイオードに流れる電流を検出する電流検出手段と、この電流検出手段による検出結果に基づいて判定を行う判定実行手段と、を備えるものとすることができる。即ち、フォトダイオードによって受光される赤外線に太陽光等の雑音光が含まれると、当該フォトダイオードに流れる電流は、極端に増大する。そこで、このフォトダイオードに流れる電流を、電流検出手段によって電流を検出する。そして、判定実行手段によって、当該電流検出手段による検出結果、つまりフォトダイオードに流れる電流の大小に基づいて、雑音成分の有無を判断するようにしてもよい。
【００１０】
なお、フォトダイオードが逆バイアス態様で駆動されている場合には、雑音光の有無に応じて、当該フォトダイオードを逆方向に流れる電流、つまり逆電流が大きく変化する。従って、このような場合には、当該逆電流を電流検出手段によって検出するのが、望ましい。
【００１１】
さらに、判定手段は、個々の光電変換手段による変換後の電気信号から元の情報信号、例えばバースバンド信号を再現する再現手段と、この再現手段によって再現されたベースバンド信号のＳＮ比に基づいて判定を行う判定実行手段と、を備えるものであってもよい。即ち、電気信号に上述の雑音成分が含まれている場合には、当該電気信号から再現されるベースバンド信号のＳＮ比が極端に低下する。そこで、当該ベースバンド信号を再現するべく、再現手段を設ける。そして、判定実行手段によって、当該再現されたベースバンド信号のＳＮ比に基づいて雑音成分の有無を判定するようにしてもよい。
【００１２】
そしてさらに、有効化されている電気信号を加算する加算手段を、設けてもよい。即ち、有効化されている電気信号を加算手段によって加算し、この加算された電気信号を後段の処理に付すことで、赤外線受信装置全体の受信感度を向上させることができる。換言すれば、合成ダイバシティ方式と同様の態様を形成することができる。
【００１３】
また、光電変換手段毎にそれぞれの受光領域以外の領域から送られてくる赤外線を遮蔽する遮蔽手段を、設けてもよい。このようにすれば、個々の光電変換手段には、自身の受光領域から送られてくる赤外線のみが入射される。そして、他の領域から送られてくる赤外線が言わば雑音となって入射されるのを防止できる。
【００１４】
なお、この発明に係る赤外線受信装置は、可搬型の装置であってもよい。
【発明の効果】
【００１５】
この発明によれば、複数の光電変換手段によって個別に変換された電気信号のうち、太陽光等の雑音光に起因する雑音成分が含まれている電気信号は、自動的に無効化される。従って、当該雑音光による影響を回避して、正常な赤外線通信を行うことができる。
【発明を実施するための最良の形態】
【００１６】
この発明の第１実施形態について、図１〜図４を参照して説明する。
【００１７】
この第１実施形態は、図１に示すような赤外線会議システム１０にこの発明を適用したものであり、当該赤外線会議システム１０は、主装置としての１台のセンタ装置１２と、中継装置としての複数台の送受光装置１４，１４，…と、それぞれマイクロホン１６を備えた複数台の端末装置１８，１８，…とを、具備する。このうち、センタ装置１２は、例えば会議室の隅に設置され、各送受光装置１４，１４，…は、同会議室の例えば天井に取り付けられる。これらセンタ装置１２と各送受光装置１４，１４，…とは、同軸ケーブル２０によって互いに接続されている。なお、図１においては、説明の便宜上、センタ装置１２と各送受光装置１４，１４，…とが１本の同軸ケーブル２０によって接続されているが、実際には、当該センタ装置１２と各送受光装置１８，１８，…とは互いに別個の複数本の同軸ケーブル２０によって、或いは図示しない混合分配器をも介して、接続されている。そして、各端末装置１８，１８，…は、同会議室の適宜箇所、例えば各発言者用のテーブル上に、配置される。
【００１８】
かかる構成の赤外線会議システム１０においては、いずれかの端末装置１８によって発言が成されると、その発言内容が、センタ装置１２に接続された図示しない外部スピーカから再生される。これと同時に、当該発言内容は、発言元を含む全ての端末装置１８，１８，…の図示しない内蔵スピーカからも再生される。このような言わば音声モニタ機能を実現するために、センタ装置１２と各端末装置１８，１８，…との間で、当該発言内容を含むＦＭ信号が、適宜の送受光装置１４，１４，…を介して送受信される。具体的には、センタ装置１２と各送受光装置１４，１４，…との間では、同軸ケーブル２０を介して、或いはこれに加えて上述の混合分配器を介して、ＦＭ信号が送受信される。そして、各送受光装置１４，１４，…と各端末装置１８，１８，…との間では、赤外線を媒体として当該ＦＭ信号が送受信され、言わば赤外線通信が行われる。
【００１９】
ところで、それぞれの端末装置１８は、図２に示すように、概略ドーム状の赤外線透過カバー３０を有している。そして、このカバー３０の内側空間には、図３に示すように、円盤状のプリント配線板４０が水平に設けられており、このプリント配線板４０の上面４２に、複数、例えば８個の光電変換手段としてのフォトダイオード５０，５０，…が、配置されている。
【００２０】
各フォトダイオード５０，５０，…は、それぞれの受光面５２，５２，…を外方に向けた状態で、かつプリント配線板４０の中心を囲んで円陣を組むように、配置されている。さらに、各フォトダイオード５０，５０，…は、それぞれの受光面５２，５２，…が水平方向よりも少し、例えば３０度〜４５度ほど、プリント配線板４０から離れる方向に向くように、斜めに傾けられた状態で、配置されている。このような配置によって、図には示さないが、各フォトダイオード５０，５０，…は、互いに異なる方向に受光領域を形成する。従って、端末装置１８全体としては、様々な方向から送られてくる赤外線を受光可能となり、換言すれば、いずれかの送受光装置１４から送られてくる赤外線を確実に受光できるようになる。
【００２１】
さらに、プリント配線板４０の上面４２には、遮蔽手段としての隔壁６０，６０，…が、設けられている。これらの隔壁６０，６０，…は、プリント配線板４０の中心から各フォトダイオード５０，５０，…間の隙間を通って当該プリント配線板４０の周縁付近にまで放射状に延伸しており、かつ、それぞれの上方縁は、カバー３０の内側面に沿って円弧状に形成されている。このような隔壁６０，６０，…が設けられることによって、それぞれのフォトダイオード５０の受光面５２には、自身の受光領域から送られてくる赤外線のみが入射され、他のフォトダイオード５０，５０，…の受光領域から送られてくる赤外線は遮蔽される。
【００２２】
これらのフォトダイオード５０，５０，…を含む受光部の概略構成を、図４に示す。この図４に示すように、それぞれのフォトダイオード５０は、個別の受光回路７０を構成している。具体的には、それぞれの受光回路７０において、フォトダイオード５０のカソード端子は、直流の電源ラインＶｃｃに接続されおり、アノード端子は、コイル７２を介して接地電位（ＧＮＤ）に接続されている。なお、電源ラインＶｃｃは、フォトダイオード５０の近傍において、バイパス用コンデンサ７１を介して接地電位に接続されている。
【００２３】
この構成によれば、フォトダイオード５０は、いわゆる逆バイアス態様で駆動される。また、フォトダイオード５０の容量成分（接合容量）とコイル７２のインダクタンスとによって、並列共振回路、つまり同調回路７４が形成される。ここで、フォトダイオード５０（受光面５２）に赤外線が入射されると、この赤外線は電気信号に変換されると共に、当該電気信号からＦＭ信号を含む高周波信号が抽出される。抽出された高周波信号は、カップリング・コンデンサ７６を介して、前置増幅回路７８に入力され、ここで増幅処理を施される。そして、この前置増幅回路７８による増幅処理後の高周波信号は、高入力インピーダンス回路であるバッファ増幅回路８０によってさらに増幅処理を施された後、スイッチ回路８２を介して、加算手段としての加算回路８４に入力される。
【００２４】
これと同時に、前置増幅回路７８による増幅処理後の高周波信号は、バンドパスフィルタ（ＢＰＦ）８６にも入力される。バンドパスフィルタ８６は、本来の受信対象であるＦＭ信号とは異なる周波数帯域の信号を通過させるためのものであり、このバンドパスフィルタ８６を通過した信号は、整流回路８８によって整流処理を施された後、判定実行手段としての比較回路９０に入力される。比較回路９０は、整流回路８８から入力された信号のレベルと、所定の基準レベルとを比較し、この比較結果に基づいて、上述のスイッチ回路８２のＯＮ／ＯＦＦ動作を制御する。
【００２５】
例えば、フォトダイオード５０に入射される赤外線に太陽光等の雑音光が含まれる場合には、整流回路８８による整流処理後の信号のレベルは、基準レベル以上となる。この場合、比較回路９０は、当該雑音光の影響を排除するべく、スイッチ回路８２をＯＦＦする。これによって、バッファ増幅回路８０と加算回路８４との間が電気的に切断され、言わば受光回路７０の出力が無効化される。一方、フォトダイオード５０に入射される赤外線に太陽光等の雑音光が含まれていない場合には、整流回路８８による整流処理後の信号のレベルは、基準レベルよりも小さくなる。この場合、比較回路９０は、スイッチ回路８２をＯＮして、受光回路７０の出力を言わば有効化する。そして、有効化された受光回路７０の出力信号は、加算回路８４によって加算された後、図示しない後段の回路に入力される。
【００２６】
このように、この第１実施形態の端末装置１８によれば、複数のフォトダイオード５０，５０，…のいずれかが太陽光等の雑音光を受光すると、そのフォトダイオード５０に対応する受光回路７０が自動的に無効化される。例えば、図３（ａ）に矢印９２で示すように、“Ｈ”という整理符号が付されたフォトダイオード５０のみに太陽光が入射されるとすると、この“Ｈ”というフォトダイオード５０に対応する受光回路７０のみが、無効化される。そして、それ以外の受光回路７０，７０，…は、有効化され、これら有効化された受光回路７０，７０，…の出力信号は、加算回路８４によって加算された後、後段の処理に付される。従って、太陽光等の雑音光の影響を受けることなく、送受光装置１４との間で正常な赤外線通信を行うことができる。このことは、上述したプラズマディスプレイ装置が設置された環境下においても、同様である。
【００２７】
また、有効化された受光回路７０，７０，…の出力信号は、上述の如く加算回路８４によって加算された後、後段の処理に付されるので、いわゆる合成ダイバシティ方式と同様の態様が形成される。従って、より高い受信感度を得ることができ、ひいてはより快適な赤外線通信を行うことができる。
【００２８】
なお、この第１実施形態では、端末装置１８を例に挙げて説明したが、これに限らない。例えば、送受光装置１４や受信専用の他の装置に対してこの第１実施形態と同様の技術を適用してもよい。ただし、この第１実施形態で説明した技術は、端末装置１８等のいわゆる可搬型の機器に対して、特に効果的である。即ち、可搬型の機器においては、いずれの方向から太陽光が入射されるのかが不特定となるが、この第１実施形態によれば、当該太陽光の入射方向に関係なく、その影響を自動的に排除できる。
【００２９】
また、図４におけるバンドパスフィルタ８６に代えて、ローパスフィルタ（ＬＰＦ）やハイパスフィルタ（ＨＰＦ）等の他のフィルタを用いてもよい。つまり、このフィルタとしては、ＦＭ信号以外の周波数帯域の信号を取り出すことができれば足りる。
【００３０】
そして、図４において、フォトダイオード５０を逆バイアス態様で駆動させたが、いわゆる無バイアス態様で駆動させてもよい。ただし、赤外線から高効率でＦＭ信号を取り出すには、逆バイアス態様で駆動させた方が、有利である。
【００３１】
さらに、図５に矢印９４で示すように、カバー３０の内側空間に収容された上述の受光部を、アジマス方向に任意に回転できるようにしてもよい。即ち、受光部をアジマス方向に回転させながら最も高感度で赤外線信号を受信することのできる位置を探せば、より良好な赤外線通信を実現することができる。
【００３２】
そして、この場合、例えば図６に示すように、フォトダイオード５０の数を削減することによって、一部の方向に受光領域が形成されないようにしてもよい。このようにすれば、例えば太陽光が入射される方向に当該受光領域が形成されていない方向を向けることで、当該太陽光の影響をより簡単かつ確実に排除することができる。
【００３３】
次に、図７を参照して、この発明の第２実施形態を説明する。なお、図７は、上述した図４の一部を変更したものであり、よって、これら両者間で互いに同等な部分には同一符号を付し、ここでは、当該同等部分についての詳しい説明は省略する。
【００３４】
この第２実施形態においては、上述した雑音光がフォトダイオード５０に入射されると、当該フォトダイオード５０に流れる逆電流Ｉｃが極端に増大する点に着目する。即ち、図７に示すように、それぞれの受光回路１００毎に、フォトダイオード５０のアノード端子と電源ラインＶｃｃとの間に、当該逆電流Ｉｃを検出するための電流検出回路１０２を設ける。電流検出回路１０２は、逆電流Ｉｃの大きさに応じたレベルの検出信号を生成し、この検出信号は、比較回路９０に入力される。
【００３５】
比較回路９０は、入力された検出信号のレベルと基準レベルとを比較し、この比較結果に基づいて、前置増幅回路７８と加算回路８４との間に設けられたスイッチ回路８２のＯＮ／ＯＦＦ動作を制御する。例えば、フォトダイオード５０に入射される赤外線に太陽光等の雑音光が含まれると、逆電流Ｉｂは増大し、これに伴って検出信号の信号レベルが基準レベル以上となる。この場合、比較回路９０は、当該雑音光の影響を排除するべく、スイッチ回路８２をＯＦＦする。これによって、前置増幅回路７８と加算回路８４との間が電気的に切断され、受光回路１００が無効化される。一方、フォトダイオード５０に入射される赤外線に太陽光等の雑音光が含まれていない場合には、検出信号の信号レベルは基準レベルよりも小さくなる。この場合、比較回路９０は、スイッチ回路８２をＯＮして、受光回路１００を有効化する。有効化された受光回路１００の出力信号は、加算回路８４によって加算された後、図示しない後段の回路に入力される。
【００３６】
このように、第２実施形態においても、いずれかのフォトダイオード５０に太陽光等の雑音光が入射されると、そのフォトダイオード５０に対応する受光回路１００が自動的に無効化される。そして、それ以外の受光回路１００，１００，…は有効化され、これら有効化された受光回路１００，１００，…の出力信号は、加算回路８４によって加算された後、後段の処理に付される。従って、雑音光の影響を受けることなく、送受光装置１４との間で正常な赤外線通信を行うことができる。
【００３７】
さらに、この発明の第３実施形態について、図８および図９を参照して説明する。
【００３８】
この第３実施形態においては、上述した雑音光がフォトダイオード５０に入射されると、最終的に得られるベースバンド信号（音声信号）のＳＮ比が極端に悪化する点に着目する。即ち、図８に示すように、それぞれの受光回路２００毎に、当該ベースバンド信号を再現するべく、前置増幅回路７８による増幅処理後の高周波信号が入力される受信回路２０２を設ける。受信回路２０２は、入力された高周波信号を、中間周波信号に変換し、さらに、この中間周波信号に復調処理を施すことによって、ベースバンド信号を再現する。再現されたベースバンド信号は、判定回路２０４に入力される。
【００３９】
判定回路２０４は、入力されたベースバンド信号のＳＮ比が基準値以上であるか否かを判定し、この判定結果に基づいて、スイッチ回路８２のＯＮ／ＯＦＦ動作を制御する。例えば、フォトダイオード５０に入射される赤外線に太陽光等の雑音光が含まれると、当該ＳＮ比が悪化して、基準値を下回る。この場合、判定回路２０４は、スイッチ回路８２をＯＦＦする。これによって、バッファ増幅回路８０と加算回路８４との間が電気的に切断され、受光回路２００が無効化される。一方、フォトダイオード５０に入射される赤外線に太陽光等の雑音光が含まれていない場合には、基準値以上のＳＮ比が得られる。この場合、判定回路２０４は、スイッチ回路８２をＯＮして、受光回路２００を有効化する。有効化された受光回路２００の出力信号は、加算回路８４によって加算された後、図示しない後段の回路に入力される。
【００４０】
このように、第３実施形態においても、いずれかのフォトダイオード５０に太陽光等の雑音光が入射されると、そのフォトダイオード５０に対応する受光回路２００が自動的に無効化される。そして、それ以外の受光回路２００，２００，…は有効化され、これら有効化された受光回路２００，２００，…の出力信号は、加算回路８４によって加算された後、後段の処理に付される。従って、雑音光の影響を受けることなく、送受光装置１４との間で正常な赤外線通信を行うことができる。
【００４１】
なお、上述の受信回路２０２は、いわゆるスーパヘテロダイン方式に基づいてベースバンド信号を再現するため、複雑かつ高価な構成となる。従って、図８に示すように、それぞれの受光回路２００毎にかかる受信回路２０２が設けられると、端末装置１８全体としても構成が複雑化しかつ高コスト化してしまう。そこで、図９に示すように、各受光回路２００，２００，…に共通の受信回路２０２および判定回路２０４を１つずつ設ける。そして、受信回路２０２に対しては、各受光回路２００，２００，…の各前置増幅回路７８，７８，…による増幅処理後の高周波信号が、選択回路２０６を介して、順次入力されるようにする。そして、この選択回路２０６による選択動作と同期して、判定回路２０２による判定結果（各スイッチ回路８２，８２，…を制御するための信号）が、切換回路２０８を介して、各スイッチ回路８２，８２，…に順次与えられるようにする。このようにすれば、図８に比べて、端末装置１８全体の構成を簡素化しかつ低コスト化することができる。
【００４２】
以上、説明した各実施形態は、飽くまでこの発明を実現するための具体例であり、この発明の全てを限定するものではない。従って、ここで説明した以外の形態によってこの発明を実現してもよいことは、言うまでもない。
【図面の簡単な説明】
【００４３】
【図１】この発明に係る第１実施形態の全体の概略構成を示す図である。
【図２】同第１実施形態における端末装置のマイクロホン部分を省略した外観図である。
【図３】同端末装置に内蔵されたフォトダイオードの配置状態を示す図解図である。
【図４】同端末装置の受光部の概略構成を示すブロック図である。
【図５】同端末装置の応用例を示す図解図である。
【図６】同端末装置の別の応用例を示す図解図である。
【図７】この発明の第２実施形態における端末装置の受光部の概略構成を示すブロック図である。
【図８】この発明の第３実施形態における端末装置の受光部の概略構成を示すブロック図である。
【図９】同第３実施形態の別の構成例を示すブロック図である。
【符号の説明】
【００４４】
１８  端末装置
５０  フォトダイオード
８２  スイッチ回路
８４  加算回路
８６  バンドパスフィルタ
８８  整流回路
９０  比較回路
【図１】
2006025111.tif 000003
【図２】
2006025111.tif 000004
【図３】
2006025111.tif 000005
【図４】
2006025111.tif 000006
【図５】
2006025111.tif 000007
【図６】
2006025111.tif 000008
【図７】
2006025111.tif 000009
【図８】
2006025111.tif 000010
【図９】
2006025111.tif 000011